(57)【要約】  本出願の実施例は、無認可周波数帯域上の同期信号ブロックの伝送を実現することができる、無線通信方法および機器を提供する。前記方法は、ネットワーク機器が、同期信号ブロックのＭ個の候補時間位置に基づいて、無認可周波数帯域上のキャリアがアイドル状態であるかどうかをモニタリングすることであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることと、センシング結果に従って、前記ネットワーク機器が、前記Ｍ個の候補時間位置の少なくとも１つの候補時間位置で、前記同期信号ブロックを送信することとを含む。
2021513760.tif 000002
【特許請求の範囲】
【請求項１】
無線通信方法であって、
ネットワーク機器が、同期信号ブロックのＭ個の候補時間位置に基づいて、無認可周波数帯域上のキャリアがアイドル状態であるかどうかをモニタリングすることであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることを含むことを特徴とする、前記無線通信方法。
【請求項２】
前記方法は、
センシング結果に従って、前記ネットワーク機器が、前記Ｍ個の候補時間位置の少なくとも１つの候補時間位置で、前記同期信号ブロックを送信することをさらに含むことを特徴とする、
請求項１に記載の無線通信方法。
【請求項３】
前記少なくとも１つの候補時間位置における各候補時間位置の前に、前記ネットワーク機器はすべて、前記無認可周波数帯域上のキャリアがアイドル状態であることをセンシングすることを特徴とする、
請求項２に記載の無線通信方法。
【請求項４】
前記ネットワーク機器が、同期信号ブロックのＭ個の候補時間位置に基づいて、無認可周波数帯域上のキャリアがアイドル状態であるかどうかをセンシングすることは、
前記Ｍ個の候補時間位置における各候補時間位置の前に、Ｎ（Ｎは、Ｍより小さいか等しい正の整数である）個の候補時間位置の前に前記無認可周波数帯域上のキャリアがアイドル状態であることをセンシングするまで、または前記Ｍ個の候補時間位置における最後の候補時間位置の前に前記無認可周波数帯域上のキャリアに対するモニタリングが完了するまで、前記無認可周波数帯域上のキャリアがアイドル状態であるかどうかを順次にモニタリングすることであって、Ｎは、前記ネットワーク機器が前記同期信号ブロックを送信することを期待する候補時間位置の数であることを含むことを特徴とする、
請求項１ないし３のいずれか一項に記載の無線通信方法。
【請求項５】
前記各候補時間位置の前にキャリアをモニタリングする場合、前記ネットワーク機器によってセンシングされた第１のビーム方向は第２のビーム方向と一致し、前記第２のビーム方向は、前記各候補時間位置で前記同期信号ブロックを送信する時に使用されると望まれる送信ビーム方向であることを特徴とする、
請求項３または４に記載の無線通信方法。
【請求項６】
前記方法は、
前記ネットワーク機器が第１の指示情報を送信することであって、前記第１の指示情報は、前記Ｍ個の候補時間位置または前記Ｍを指示し、および／またはＮ（Ｎは、Ｍより小さいか等しい正の整数である）を指示し、Ｎは、前記ネットワーク機器が前記同期信号ブロックを送信することを期待する候補時間位置の数であることをさらに含むことを特徴とする、
請求項１ないし５のいずれか一項に記載の無線通信方法。
【請求項７】
前記ネットワーク機器が第１の指示情報を送信することは、
前記ネットワーク機器が、前記無認可周波数帯域上のキャリアを介して前記第１の指示情報を送信することを含むことを特徴とする、
請求項６に記載の無線通信方法。
【請求項８】
前記ネットワーク機器が第１の指示情報を送信することは、
前記ネットワーク機器が、認可された周波数帯域上のキャリアを介して前記第１の指示情報を送信することを含むことを特徴とする、
請求項６に記載の無線通信方法。
【請求項９】
前記ネットワーク機器が、認可された周波数帯域上のキャリアを介して前記第１の指示情報を送信することは、
前記ネットワーク機器が、マスタセルに対応する前記認可された周波数帯域上のキャリアを使用して、前記第１の指示情報を送信することを含み、
前記無認可周波数帯域上のキャリアは、前記ネットワーク機器のセカンダリセルに対応する周波数帯域上のキャリアであることを特徴とする、
請求項８に記載の無線通信方法。
【請求項１０】
前記第１の指示情報は、残存最小システム情報（ＲＭＳＩ）に搬送され、または、
前記第１の指示情報は、無線リソース制御（ＲＲＣ）シグナリングに搬送されることを特徴とする、
請求項６ないし８のいずれか一項に記載の無線通信方法。
【請求項１１】
前記方法は、
前記ネットワーク機器が、前記少なくとも１つの候補時間位置の後に、第２の指示情報を送信することをさらに含み、
前記第２の指示情報は、前記同期信号ブロックを実際に送信する候補時間位置のパターン、または前記同期信号ブロックを実際に送信する候補時間位置の数を指示することを特徴とする、
請求項２ないし１０のいずれか一項に記載の無線通信方法。
【請求項１２】
前記第２の指示情報は、前記Ｍ個の候補時間位置における各候補時間位置で前記同期信号ブロックを送信したかどうかを指示することにより、前記同期信号ブロックを実際に送信する候補時間位置のパターンを指示することを特徴とする、
請求項１１に記載の無線通信方法。
【請求項１３】
前記第２の指示情報は、前記同期信号ブロックを実際に送信する候補時間位置のパターンを指示し、
前記少なくとも１つの候補時間位置は、配列順序に従って、それぞれ少なくとも１つの送信ビームに対応することを特徴とする、
請求項１２に記載の無線通信方法。
【請求項１４】
前記ネットワーク機器が、前記少なくとも１つの候補時間位置の後に、第２の指示情報を送信することは、
前記少なくとも１つの候補時間位置の後に、前記ネットワーク機器が、前記無認可周波数帯域上のキャリアを介して前記第２の指示情報を送信することを含むことを特徴とする、
請求項１１ないし１３のいずれか一項に記載の無線通信方法。
【請求項１５】
前記ネットワーク機器が、前記少なくとも１つの候補時間位置の後に、第２の指示情報を送信することは、
前記少なくとも１つの候補時間位置の後に、前記ネットワーク機器が、認可された周波数帯域上のキャリアを介して前記第２の指示情報を送信することを含むことを特徴とする、
請求項１１ないし１３のいずれか一項に記載の無線通信方法。
【請求項１６】
前記ネットワーク機器が、認可された周波数帯域上のキャリアを介して前記第２の指示情報を送信することは、
前記ネットワーク機器が、マスタセルに対応する前記認可された周波数帯域上のキャリアを使用して、前記第２の指示情報を送信することを含み、
前記無認可周波数帯域上のキャリアは、前記ネットワーク機器のセカンダリセルに対応する周波数帯域上のキャリアであることを特徴とする、
請求項１５に記載の無線通信方法。
【請求項１７】
前記同期信号ブロックを実際に送信する候補時間位置が複数である場合、複数の候補時間位置のうちの任意の２つの候補時間位置で前記同期信号ブロックを送信するときに、異なる送信ビームを使用することを特徴とする、
請求項２ないし１６のいずれか一項に記載の無線通信方法。
【請求項１８】
前記ネットワーク機器が、同期信号ブロックを送信するためのＭ個の候補時間位置に基づいて、無認可周波数帯域上のキャリアがアイドル状態であるかどうかをモニタリングすることは、
前記ネットワーク機器が、前記同期ブロックの送信周期に応じて、前記Ｍ個の候補時間位置に従って、前記無認可周波数帯域上のキャリアを周期的にセンシングすることを含むことを特徴とする、
請求項１ないし１７のいずれか一項に記載の無線通信方法。
【請求項１９】
前記方法は、
前記ネットワーク機器が、前記Ｍ個の候補時間位置が前記同期信号ブロックによって占有されたと想定する方式で、前記同期信号ブロックではないチャネルまたは信号に対してレートマッチングを実行することをさらに含むことを特徴とする、
請求項１ないし１８のいずれか一項に記載の無線通信方法。
【請求項２０】
無線通信方法であって、
端末機器が、同期信号ブロックのＭ個の候補時間位置を決定することであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることと、
前記同期信号ブロックを取得するために、端末機器が、前記Ｍ個の候補時間位置に基づいて、無認可周波数帯域上のキャリアで信号を受信することとを含む、前記無線通信方法。
【請求項２１】
前記端末機器が、前記Ｍ個の候補時間位置に基づいて、無認可周波数帯域上のキャリアで信号を受信することは、
前記無認可周波数帯域上のキャリアで、Ｎ（Ｎは、Ｍより小さいか等しい正の整数である）個の候補時間位置で同期信号ブロックを取得するまで、または前記Ｍ個の候補時間位置における最後の候補時間位置で同期信号ブロックの検出を実行するまで、前記Ｍ個の候補時間位置における各候補時間位置で順次に前記同期信号ブロックの検出を実行することであって、Ｎは、ネットワーク機器が前記同期信号ブロックを送信することを期待する候補時間位置の数であることを含むことを特徴とする、
請求項２０に記載の無線通信方法。
【請求項２２】
前記方法は、
前記端末機器が、ネットワーク機器によって送信された第１の指示情報を受信することであって、前記第１の指示情報は、前記Ｍ個の候補時間位置または前記Ｍを指示し、および／またはＮ（Ｎは、Ｍより小さいか等しい正の整数である）を指示し、Ｎは、前記ネットワーク機器が前記同期信号ブロックを送信することを期待する候補時間位置の数であることをさらに含むことを特徴とする、
請求項２０または２１に記載の無線通信方法。
【請求項２３】
前記端末機器が、ネットワーク機器によって送信された第１の指示情報を受信することは、
前記端末機器が、前記無認可周波数帯域上のキャリアで、前記ネットワーク機器によって送信された前記第１の指示情報を受信することを含むことを特徴とする、
請求項２２に記載の無線通信方法。
【請求項２４】
前記端末機器が、ネットワーク機器によって送信された第１の指示情報を受信することは、
前記端末機器が、認可された周波数帯域上のキャリアで、前記ネットワーク機器によって送信された前記第１の指示情報を受信することを含むことを特徴とする、
請求項２２に記載の無線通信方法。
【請求項２５】
前記端末機器が、認可された周波数帯域上のキャリアで、前記ネットワーク機器によって送信された前記第１の指示情報を受信することは、
前記端末機器が、マスタセルに対応する前記認可された周波数帯域上のキャリアで、前記ネットワーク機器によって送信された前記第１の指示情報を受信することを含み、
前記無認可周波数帯域上のキャリアは、前記ネットワーク機器のセカンダリセルに対応する周波数帯域上のキャリアであることを特徴とする、
請求項２４に記載の無線通信方法。
【請求項２６】
前記第１の指示情報は、残存最小システム情報（ＲＭＳＩ）に搬送され、または、
前記第１の指示情報は、無線リソース制御（ＲＲＣ）シグナリングに搬送されることを特徴とする、
請求項２２ないし２５のいずれか一項に記載の無線通信方法。
【請求項２７】
前記方法は、
前記端末機器が、少なくとも１つの候補時間位置の後に前記ネットワーク機器によって送信された第２の指示情報を受信することであって、前記少なくとも１つの候補時間位置は、前記同期信号ブロックを実際に送信する候補時間位置であることをさらに含み、
前記第２の指示情報は、前記同期信号ブロックを実際に送信する候補時間位置のパターン、または前記同期信号ブロックを実際に送信する候補時間位置の数を含むことを特徴とする、
請求項２０ないし２６のいずれか一項に記載の無線通信方法。
【請求項２８】
前記第２の指示情報は、前記Ｍ個の候補時間位置における各候補時間位置で前記同期信号ブロックを送信したかどうかを指示することにより、前記同期信号ブロックを実際に送信する候補時間位置のパターンを指示することを特徴とする、
請求項２７に記載の無線通信方法。
【請求項２９】
前記第２の指示情報は、前記同期信号ブロックを実際に送信する候補時間位置のパターンを指示し、前記少なくとも１つの候補時間位置は、配列順序に従って、それぞれ少なくとも１つの送信ビームに対応し、
前記方法は、
前記端末機器が、前記同期信号ブロックを実際に送信する少なくとも１つの候補時間位置の時間順序に従って、前記少なくとも１つの候補時間位置における各候補時間位置で、ネットワーク機器が前記同期信号ブロックを送信するために使用される送信ビームを決定することをさらに含むことを特徴とする、
請求項２７または２８に記載の無線通信方法。
【請求項３０】
前記端末機器が、少なくとも１つの候補時間位置の後にネットワーク機器によって送信された第２の指示情報を受信することは、
前記無認可周波数帯域上のキャリアで、前記端末機器が、前記少なくとも１つの候補時間位置の後に前記ネットワーク機器によって送信された第２の指示情報を受信することを含むことを特徴とする、
請求項２７ないし２９のいずれか一項に記載の無線通信方法。
【請求項３１】
前記端末機器が、少なくとも１つの候補時間位置の後に、ネットワーク機器によって送信された第２の指示情報を受信することは、
認可された周波数帯域上のキャリアで、前記端末機器が、前記少なくとも１つの候補時間位置の後に前記ネットワーク機器によって送信された第２の指示情報を受信することを含むことを特徴とする、
請求項２７ないし２９のいずれか一項に記載の無線通信方法。
【請求項３２】
認可された周波数帯域上のキャリアで、前記端末機器が、前記少なくとも１つの候補時間位置の後に前記ネットワーク機器によって送信された第２の指示情報を受信することは、
マスタセルに対応する前記認可された周波数帯域上のキャリアで、前記端末機器が、前記少なくとも１つの候補時間位置の後に前記ネットワーク機器によって送信された第２の指示情報を受信することを含み、
前記無認可周波数帯域上のキャリアは、前記ネットワーク機器のセカンダリセルに対応する周波数帯域上のキャリアであることを特徴とする、
請求項３１に記載の無線通信方法。
【請求項３３】
前記端末機器が、前記Ｍ個の候補時間位置に基づいて、無認可周波数帯域上のキャリアで信号を受信することは、
前記端末機器が、前記送信周期に応じて、前記Ｍ個の候補時間位置に基づき、無認可周波数帯域上のキャリアで周期的に信号を受信することを含むことを特徴とする、
請求項２０ないし３２のいずれか一項に記載の無線通信方法。
【請求項３４】
前記方法は、
前記端末機器が、前記Ｍ個の候補時間位置が前記同期信号ブロックによって占有されたと想定する方式で、前記同期信号ブロックではないチャネルまたは信号に対してレートマッチングを実行することをさらに含むことを特徴とする、
請求項２０ないし３３のいずれか一項に記載の無線通信方法。
【請求項３５】
ネットワーク機器であって、
センシングユニットを含み、
前記センシングユニットは、同期信号ブロックのＭ個の候補時間位置に基づいて、無認可周波数帯域上のキャリアがアイドル状態であるかどうかをモニタリングするように構成され、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることを特徴とする、前記ネットワーク機器。
【請求項３６】
前記機器は、送信ユニットをさらに含み、
前記送信ユニットは、センシング結果に従って、前記Ｍ個の候補時間位置の少なくとも１つの候補時間位置で、前記同期信号ブロックを送信するように構成されることを特徴とする、
請求項３５に記載のネットワーク機器。
【請求項３７】
前記少なくとも１つの候補時間位置における各候補時間位置の前に、前記センシングユニットはすべて、前記無認可周波数帯域上のキャリアがアイドル状態であることをセンシングすることを特徴とする、
請求項３６に記載のネットワーク機器。
【請求項３８】
前記センシングユニットは、さらに、
前記Ｍ個の候補時間位置における各候補時間位置の前に、Ｎ（Ｎは、Ｍより小さいか等しい正の整数である）個の候補時間位置の前に前記無認可周波数帯域上のキャリアがアイドル状態であることをセンシングするまで、または前記Ｍ個の候補時間位置における最後の候補時間位置の前に前記無認可周波数帯域上のキャリアに対するモニタリングが完了するまで、前記無認可周波数帯域上のキャリアがアイドル状態であるかどうかを順次にモニタリングするように構成され、Ｎは、前記ネットワーク機器が前記同期信号ブロックを送信することを期待する候補時間位置の数であることを特徴とする、
請求項３６または３７に記載のネットワーク機器。
【請求項３９】
前記各候補時間位置の前にキャリアをモニタリングする場合、前記センシングユニットによってセンシングされた第１のビーム方向は第２のビーム方向と一致し、前記第２のビーム方向は、前記各候補時間位置で前記同期信号ブロックを送信する時に使用されると望まれる送信ビーム方向であることを特徴とする、
請求項３７または３８に記載のネットワーク機器。
【請求項４０】
前記送信ユニットは、さらに、
第１の指示情報を送信するように構成され、前記第１の指示情報は、前記Ｍ個の候補時間位置または前記Ｍを指示し、および／またはＮ（Ｍより小さいか等しい正の整数である）を指示し、Ｎは、前記ネットワーク機器が前記同期信号ブロックを送信することを期待する候補時間位置の数であることを特徴とする、
請求項３５ないし３９のいずれか一項に記載のネットワーク機器。
【請求項４１】
前記送信ユニットは、さらに、
前記無認可周波数帯域上のキャリアを介して前記第１の指示情報を送信するように構成されることを特徴とする、
請求項４０に記載のネットワーク機器。
【請求項４２】
前記送信ユニットは、さらに、
認可された周波数帯域上のキャリアを介して前記第１の指示情報を送信するように構成されることを特徴とする、
請求項４０に記載のネットワーク機器。
【請求項４３】
前記送信ユニットは、さらに、
マスタセルに対応する前記認可された周波数帯域上のキャリアを使用して、前記第１の指示情報を送信するように構成され、
前記無認可周波数帯域上のキャリアは、前記ネットワーク機器のセカンダリセルに対応する周波数帯域上のキャリアであることを特徴とする、
請求項４２に記載のネットワーク機器。
【請求項４４】
前記第１の指示情報は、残存最小システム情報（ＲＭＳＩ）に搬送され、または、
前記第１の指示情報は、無線リソース制御（ＲＲＣ）シグナリングに搬送されることを特徴とする、
請求項４０ないし４２のいずれか一項に記載のネットワーク機器。
【請求項４５】
前記送信ユニットは、さらに、
前記少なくとも１つの候補時間位置の後に、第２の指示情報を送信するように構成され、
前記第２の指示情報は、前記同期信号ブロックを実際に送信する候補時間位置のパターン、または前記同期信号ブロックを実際に送信する候補時間位置の数を指示することを特徴とする、
請求項３６ないし４４のいずれか一項に記載のネットワーク機器。
【請求項４６】
前記第２の指示情報は、前記Ｍ個の候補時間位置における各候補時間位置で前記同期信号ブロックを送信したかどうかを指示することにより、前記同期信号ブロックを実際に送信する候補時間位置のパターンを指示することを特徴とする、
請求項４５に記載のネットワーク機器。
【請求項４７】
前記第２の指示情報は、前記同期信号ブロックを実際に送信する候補時間位置のパターンを指示し、
前記少なくとも１つの候補時間位置は、配列順序に従って、それぞれ少なくとも１つの送信ビームに対応することを特徴とする、
請求項４６に記載のネットワーク機器。
【請求項４８】
前記送信ユニットは、さらに、
前記少なくとも１つの候補時間位置の後に、前記無認可周波数帯域上のキャリアを介して前記第２の指示情報を送信するように構成されることを特徴とする、
請求項４５ないし４７のいずれか一項に記載のネットワーク機器。
【請求項４９】
前記送信ユニットは、さらに、
前記少なくとも１つの候補時間位置の後に、認可された周波数帯域上のキャリアを介して前記第２の指示情報を送信するように構成されることを特徴とする、
請求項４５ないし４７のいずれか一項に記載のネットワーク機器。
【請求項５０】
前記送信ユニットは、さらに、
マスタセルに対応する前記認可された周波数帯域上のキャリアを使用して、前記第２の指示情報を送信するように構成され、
前記無認可周波数帯域上のキャリアは、前記ネットワーク機器のセカンダリセルに対応する周波数帯域上のキャリアであることを特徴とする、
請求項４９に記載のネットワーク機器。
【請求項５１】
前記同期信号ブロックを実際に送信する候補時間位置が複数である場合、複数の候補時間位置のうちの任意の２つの候補時間位置で前記同期信号ブロックを送信するときに、異なる送信ビームを使用することを特徴とする、
請求項３６ないし５０のいずれか一項に記載のネットワーク機器。
【請求項５２】
前記送信ユニットは、さらに、
前記同期ブロックの送信周期に応じて、前記Ｍ個の候補時間位置に基づき、前記無認可周波数帯域上のキャリアで周期的にセンシングするように構成されることを特徴とする、
請求項３５ないし５１のいずれか一項に記載のネットワーク機器。
【請求項５３】
前記送信ユニットは、さらに、
前記Ｍ個の候補時間位置が前記同期信号ブロックによって占有されたと想定する方式で、前記同期信号ブロックではないチャネルまたは信号に対してレートマッチングを実行するように構成されることを特徴とする、
請求項３５ないし５２のいずれか一項に記載のネットワーク機器。
【請求項５４】
端末機器であって、
処理ユニットおよび通信ユニットを含み、
前記処理ユニットは、同期信号ブロックのＭ個の候補時間位置を決定するように構成され、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であり、
前記通信ユニットは、前記同期信号ブロックを取得するために、前記Ｍ個の候補時間位置に基づいて、無認可周波数帯域上のキャリアで信号を受信するように構成されることを特徴とする、前記端末機器。
【請求項５５】
前記通信ユニットは、さらに、
前記無認可周波数帯域上のキャリアで、Ｎ（Ｎは、Ｍより小さいか等しい正の整数である）個の候補時間位置で同期信号ブロックを取得するまで、または前記Ｍ個の候補時間位置における最後の候補時間位置で同期信号ブロックの検出を実行するまで、前記Ｍ個の候補時間位置における各候補時間位置で順次に前記同期信号ブロックの検出を実行するように構成され、Ｎは、ネットワーク機器が前記同期信号ブロックを送信することを期待する候補時間位置の数であることを特徴とする、
請求項５４に記載の端末機器。
【請求項５６】
前記通信ユニットは、さらに、
ネットワーク機器によって送信された第１の指示情報を受信するように構成され、前記第１の指示情報は、前記Ｍ個の候補時間位置または前記Ｍを指示し、および／またはＮ（Ｎは、Ｍより小さいか等しい正の整数である）を指示し、Ｎは、前記ネットワーク機器が前記同期信号ブロックを送信することを期待する候補時間位置の数であることを特徴とする、
請求項５４または５５に記載の端末機器。
【請求項５７】
前記通信ユニットは、さらに、
前記無認可周波数帯域上のキャリアで、前記ネットワーク機器によって送信された前記第１の指示情報を受信するように構成されることを特徴とする、
請求項５６に記載の端末機器。
【請求項５８】
前記通信ユニットは、さらに、
認可された周波数帯域上のキャリアで、前記ネットワーク機器によって送信された前記第１の指示情報を受信するように構成されることを特徴とする、
請求項５６に記載の端末機器。
【請求項５９】
前記通信ユニットは、さらに、
マスタセルに対応する前記認可された周波数帯域上のキャリアで、前記ネットワーク機器によって送信された前記第１の指示情報を受信するように構成され、
前記無認可周波数帯域上のキャリアは、前記ネットワーク機器のセカンダリセルに対応する周波数帯域上のキャリアであることを特徴とする、
請求項５８に記載の端末機器。
【請求項６０】
前記第１の指示情報は、残存最小システム情報（ＲＭＳＩ）に搬送され、または、
前記第１の指示情報は、無線リソース制御（ＲＲＣ）シグナリングに搬送されることを特徴とする、
請求項５６ないし５９のいずれか一項に記載の端末機器。
【請求項６１】
前記通信ユニットは、さらに、
少なくとも１つの候補時間位置の後に前記ネットワーク機器によって送信された第２の指示情報を受信するように構成され、前記少なくとも１つの候補時間位置は、前記同期信号ブロックを実際に送信する候補時間位置であり、
前記第２の指示情報は、前記同期信号ブロックを実際に送信する候補時間位置のパターン、または前記同期信号ブロックを実際に送信する候補時間位置の数を含むことを特徴とする、
請求項５４ないし６０のいずれか一項に記載の端末機器。
【請求項６２】
前記第２の指示情報は、前記Ｍ個の候補時間位置における各候補時間位置で前記同期信号ブロックを送信したかどうかを指示することにより、前記同期信号ブロックを実際に送信する候補時間位置のパターンを指示することを特徴とする、
請求項６１に記載の端末機器。
【請求項６３】
前記第２の指示情報は、前記同期信号ブロックを実際に送信する候補時間位置のパターンを指示し、前記少なくとも１つの候補時間位置は、配列順序に従って、それぞれ少なくとも１つの送信ビームに対応し、
前記処理ユニットは、さらに、
前記同期信号ブロックを実際に送信する少なくとも１つの候補時間位置の時間順序に従って、前記少なくとも１つの候補時間位置における各候補時間位置で、ネットワーク機器が前記同期信号ブロックを送信するために使用される送信ビームを決定するように構成されることを特徴とする、
請求項６１または６２に記載の端末機器。
【請求項６４】
前記通信ユニットは、さらに、
前記無認可周波数帯域上のキャリアで、前記少なくとも１つの候補時間位置の後に前記ネットワーク機器によって送信された第２の指示情報を受信するように構成されることを特徴とする、
請求項６１ないし６３のいずれか一項に記載の端末機器。
【請求項６５】
前記通信ユニットは、さらに、
認可された周波数帯域上のキャリアで、前記少なくとも１つの候補時間位置の後に前記ネットワーク機器によって送信された第２の指示情報を受信するように構成されることを特徴とする、
請求項６１ないし６３のいずれか一項に記載の端末機器。
【請求項６６】
前記通信ユニットは、さらに、
マスタセルに対応する前記認可された周波数帯域上のキャリアで、前記少なくとも１つの候補時間位置の後に前記ネットワーク機器によって送信された第２の指示情報を受信するように構成され、
前記無認可周波数帯域上のキャリアは、前記ネットワーク機器のセカンダリセルに対応する周波数帯域上のキャリアであることを特徴とする、
請求項６５に記載の端末機器。
【請求項６７】
前記通信ユニットは、さらに、
前記送信周期に応じて、前記Ｍ個の候補時間位置に基づき、無認可周波数帯域上のキャリアで周期性的に信号を受信するように構成されることを特徴とする、
請求項５４ないし６６のいずれか一項に記載の端末機器。
【請求項６８】
前記通信ユニットは、さらに、
前記Ｍ個の候補時間位置が前記同期信号ブロックによって占有されたと想定する方式で、前記同期信号ブロックではないチャネルまたは信号に対してレートマッチングを実行するように構成されることを特徴とする、
請求項５４ないし６７のいずれか一項に記載の端末機器。
【発明の詳細な説明】
【技術分野】
【０００１】
本出願の実施例は、通信分野に関し、より具体的に、無線通信方法、ネットワーク機器および端末機器に関する。
【背景技術】
【０００２】
ニューラジオ（ＮＲ：Ｎｅｗ  Ｒａｄｉｏ）システムにおいて、ネットワーク機器は、端末機器に同期信号ブロック（ＳＳ  ＢｌｏｃｋまたはＳＳＢ：ｓｙｎｃｈｒｏｎｏｕｓ  Ｓｉｇｎａｌ  Ｂｌｏｃｋ）を送信することができ、前記同期信号ブロックは、プライマリ同期信号（ＰＳＳ：ｐｒｉｍａｒｙ  ｓｙｎｃｈｒｏｎｏｕｓ  Ｓｉｇｎａｌ）、セカンダリ同期信号（ＳＳＳ：ｓｅｃｏｎｄａｒｙ  ｓｙｎｃｈｒｏｎｏｕｓ  Ｓｉｇｎａｌ）および物理ブロードキャストチャネル（ＰＢＣＨ：Ｐｈｙｓｉｃａｌ  Ｂｒｏａｄｃａｓｔｉｎｇ  Ｃｈａｎｎｅｌ）を含み得る。
【０００３】
ＮＲシステムにおいて、ネットワーク機器と端末機器は、無認可周波数帯域を介して通信することができる。
【０００４】
ＮＲシステムにおいて、無認可周波数帯域で、同期信号ブロックの伝送を行うことが解決しようとする課題である。
【発明の概要】
【発明が解決しようとする課題】
【０００５】
本出願の実施例は、無線通信方法および機器を提供し、無認可周波数帯域上の同期信号ブロックの伝送を実現することができる。
【課題を解決するための手段】
【０００６】
第１の態様によれば、無線通信方法を提供し、前記方法は、
同期信号ブロックの送信が行われる候補時間位置を取得するために使用されるために、ネットワーク機器が、同期信号ブロックのＭ個の候補時間位置に基づいて、無認可周波数帯域上のキャリアがアイドル状態であるかどうかをモニタリングすることであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることを含む。
【０００７】
したがって、本出願の実施例において、同期信号ブロックの送信が行われる候補時間位置を取得するために使用されるために、ネットワーク機器は、同期信号ブロックのＬ個の候補時間位置におけるＭ個の候補時間位置に基づいて、無認可周波数帯域上のキャリアがアイドル状態であるかどうかをセンシングし、同期信号ブロックを取得するように、端末機器は、前記Ｍ個の候補時間位置に基づいて、無認可周波数帯域上のキャリアで信号を受信することができ、固定の候補時間位置で同期信号ブロックの伝送を行う必要がなく、無認可周波数帯域上のキャリアで同期信号ブロックの伝送を行うことができる。
【０００８】
第１の態様を参照すると、第１の態様の可能な実現形態において、センシング結果に従って、前記ネットワーク機器は、前記Ｍ個の候補時間位置の少なくとも１つの候補時間位置で、前記同期信号ブロックを送信する。
【０００９】
第１の態様を参照すると、第１の態様の可能な実現形態において、前記少なくとも１つの候補時間位置における各候補時間位置の前に、前記ネットワーク機器は、前記無認可周波数帯域のキャリアがアイドル状態であることをそれぞれセンシングする。
【００１０】
第１の態様または上記のいずれかの可能な実現形態を参照すると、第１の態様の可能な実現形態において、前記ネットワーク機器が、同期信号ブロックのＭ個の候補時間位置に基づいて、無認可周波数帯域のキャリアがアイドル状態であるかどうかをセンシングすることは、
前記Ｍ個の候補時間位置における各候補時間位置の前に、Ｎ（Ｎは、Ｍより小さいか等しい正の整数である）個の候補時間位置の前に前記無認可周波数帯域上のキャリアがアイドル状態であることをセンシングするまで、または前記Ｍ個の候補時間位置における最後の候補時間位置の前に前記無認可周波数帯域上のキャリアに対するモニタリングが完了するまで、前記無認可周波数帯域上のキャリアがアイドル状態であるかどうかを順次にモニタリングすることであって、Ｎは、前記ネットワーク機器が前記同期信号ブロックを送信すると予想される候補時間位置の数であることを含む。
【００１１】
第１の態様または上記のいずれかの可能な実現形態を参照すると、第１の態様の可能な実現形態において、前記各候補時間位置の前にキャリアをモニタリングする場合、前記ネットワーク機器によってセンシングされた第１のビーム方向は第２のビーム方向と一致し、ここで、前記第２のビーム方向は、前記各候補時間位置で前記同期信号ブロックを送信するときに使用されると予想する送信ビーム方向である。
【００１２】
第１の態様または上記のいずれかの可能な実現形態を参照すると、第１の態様の可能な実現形態において、前記方法は、
前記ネットワーク機器が第１の指示情報を送信することであって、前記第１の指示情報は、前記Ｍ個の候補時間位置または前記Ｍを指示し、および／またはＮ（Ｎは、Ｍより小さいか等しい正の整数である）を指示し、ここで、Ｎは、前記ネットワーク機器が前記同期信号ブロックを送信すると予想される候補時間位置の数であることをさらに含む。
【００１３】
第１の態様または上記のいずれかの可能な実現形態を参照すると、第１の態様の可能な実現形態において、前記ネットワーク機器が第１の指示情報を送信することは、
前記ネットワーク機器が、前記無認可周波数帯域上のキャリアを介して前記第１の指示情報を送信することを含む。
【００１４】
第１の態様または上記のいずれかの可能な実現形態を参照すると、第１の態様の可能な実現形態において、前記ネットワーク機器が第１の指示情報を送信することは、
前記ネットワーク機器が、認可された周波数帯域上のキャリアを介して前記第１の指示情報を送信することを含む。
【００１５】
第１の態様または上記のいずれかの可能な実現形態を参照すると、第１の態様の可能な実現形態において、前記ネットワーク機器が、認可された周波数帯域上のキャリアを介して前記第１の指示情報を送信することは、
前記ネットワーク機器が、マスタセルに対応する前記認可された周波数帯域上のキャリアを使用して、前記第１の指示情報を送信することを含み、
前記無認可周波数帯域のキャリアは、前記ネットワーク機器のセカンダリセルに対応する周波数帯域上のキャリアである。
【００１６】
第１の態様または上記のいずれかの可能な実現形態を参照すると、第１の態様の可能な実現形態において、前記第１の指示情報は、残存最小システム情報（ＲＭＳＩ）に搬送され、または、
前記第１の指示情報は、無線リソース制御（ＲＲＣ）シグナリングに搬送される。
【００１７】
第１の態様または上記のいずれかの可能な実現形態を参照すると、第１の態様の可能な実現形態において、前記方法は、
前記ネットワーク機器が、前記少なくとも１つの候補時間位置の後に、第２の指示情報を送信することをさらに含み、
前記第２の指示情報は、前記同期信号ブロックを実際に送信する候補時間位置のパターン、または前記同期信号ブロックを実際に送信する候補時間位置の数を指示する。
【００１８】
第１の態様または上記のいずれかの可能な実現形態を参照すると、第１の態様の可能な実現形態において、前記第２の指示情報は、前記Ｍ個の候補時間位置における各候補時間位置で前記同期信号ブロックを送信したかどうかを指示することにより、前記同期信号ブロックを実際に送信する候補時間位置のパターンを指示する。
【００１９】
第１の態様または上記のいずれかの可能な実現形態を参照すると、第１の態様の可能な実現形態において、前記第２の指示情報は、前記同期信号ブロックを実際に送信する候補時間位置のパターンを指示し、
前記少なくとも１つの候補時間位置は、配列順序に従って、それぞれ少なくとも１つの送信ビームに対応する。
【００２０】
第１の態様または上記のいずれかの可能な実現形態を参照すると、第１の態様の可能な実現形態において、前記ネットワーク機器が、前記少なくとも１つの候補時間位置の後に、第２の指示情報を送信することは、
前記少なくとも１つの候補時間位置の後に、前記ネットワーク機器が、前記無認可周波数帯域上のキャリアを介して前記第２の指示情報を送信することを含む。
【００２１】
第１の態様または上記のいずれかの可能な実現形態を参照すると、第１の態様の可能な実現形態において、前記ネットワーク機器が、前記少なくとも１つの候補時間位置の後に、第２の指示情報を送信することは、
前記少なくとも１つの候補時間位置の後に、前記ネットワーク機器が、認可された周波数帯域のキャリアを介して前記第２の指示情報を送信することを含む。
【００２２】
第１の態様または上記のいずれかの可能な実現形態を参照すると、第１の態様の可能な実現形態において、前記ネットワーク機器が、認可された周波数帯域上のキャリアを介して前記第２の指示情報を送信することは、
前記ネットワーク機器が、マスタセルに対応する前記認可された周波数帯域上のキャリアを使用して、前記第２の指示情報を送信することを含み、
前記無認可周波数帯域上のキャリアは、前記ネットワーク機器のセカンダリセルに対応する周波数帯域上のキャリアである。
【００２３】
第１の態様または上記のいずれかの可能な実現形態を参照すると、第１の態様の可能な実現形態において、前記同期信号ブロックを実際に送信する候補時間位置が複数である場合、複数の候補時間位置のうちの任意の２つの候補時間位置で前記同期信号ブロックを送信するときに、異なる送信ビームを使用する。
【００２４】
第１の態様または上記のいずれかの可能な実現形態を参照すると、第１の態様の可能な実現形態において、前記ネットワーク機器が、同期信号ブロックを送信するためのＭ個の候補時間位置に基づいて、無認可周波数帯域のキャリアがアイドル状態であるかどうかをモニタリングすることは、
前記ネットワーク機器が、前記同期ブロックの送信周期に応じて、前記Ｍ個の候補時間位置に基づき、前記無認可周波数帯域のキャリアで周期性的にセンシングすることを含む。
【００２５】
第１の態様または上記のいずれかの可能な実現形態を参照すると、第１の態様の可能な実現形態において、前記方法は、
前記ネットワーク機器が、前記Ｍ個の候補時間位置が前記同期信号ブロックによって占有されたと想定する方式で、前記同期信号ブロックではないチャネルまたは信号に対してレートマッチングを実行することをさらに含む。
【００２６】
第２の態様によれば、無線通信方法を提供し、
端末機器が、同期信号ブロックのＭ個の候補時間位置を決定することであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることと、
前記同期信号ブロックを取得するために、端末機器が、前記Ｍ個の候補時間位置に基づいて、無認可周波数帯域上のキャリアで信号を受信することとを含む。
【００２７】
したがって、本出願の実施例において、同期信号ブロックの送信が行われる候補時間位置を取得するために使用されるために、ネットワーク機器は、同期信号ブロックのＬ個の候補時間位置におけるＭ個の候補時間位置に基づいて、無認可周波数帯域のキャリアがアイドル状態であるかどうかをセンシングし、同期信号ブロックを取得するように、端末機器は、前記Ｍ個の候補時間位置に基づいて、無認可周波数帯域のキャリアで信号を受信することができ、固定の候補時間位置で同期信号ブロックの伝送を行う必要がなく、無認可周波数帯域のキャリアで同期信号ブロックの伝送を行うことができる。
【００２８】
第２の態様を参照すると、第２の態様の可能な実現形態において、前記端末機器が、前記Ｍ個の候補時間位置に基づいて、無認可周波数帯域のキャリアで信号を受信することは、
前記無認可周波数帯域のキャリアで、Ｎ（Ｎは、Ｍより小さいか等しい正の整数である）個の候補時間位置で同期信号ブロックを取得するまで、または前記Ｍ個の候補時間位置における最後の候補時間位置で同期信号ブロックの検出を行うまで、前記Ｍ個の候補時間位置における各候補時間位置で順次に前記同期信号ブロックの検出を行うことであって、Ｎは、ネットワーク機器が前記同期信号ブロックを送信すると予想される候補時間位置の数であることを含む。
【００２９】
第２の態様または上記のいずれかの可能な実現形態を参照すると、第２の態様の可能な実現形態において、前記方法は、
前記端末機器が、ネットワーク機器によって送信された第１の指示情報を受信することであって、前記第１の指示情報は、前記Ｍ個の候補時間位置または前記Ｍを指示し、および／またはＮ（Ｎは、Ｍより小さいか等しい正の整数である）を指示し、Ｎは、前記ネットワーク機器が前記同期信号ブロックを送信すると予想される候補時間位置の数であることをさらに含む。
【００３０】
第２の態様または上記のいずれかの可能な実現形態を参照すると、第２の態様の可能な実現形態において、前記端末機器が、ネットワーク機器によって送信された第１の指示情報を受信することは、
前記端末機器が、前記無認可周波数帯域のキャリアで、前記ネットワーク機器によって送信された前記第１の指示情報を受信することを含む。
【００３１】
第２の態様または上記のいずれかの可能な実現形態を参照すると、第２の態様の可能な実現形態において、前記端末機器が、ネットワーク機器によって送信された第１の指示情報を受信することは、
前記端末機器が、認可された周波数帯域のキャリアで、前記ネットワーク機器によって送信された前記第１の指示情報を受信することを含む。
【００３２】
第２の態様または上記のいずれかの可能な実現形態を参照すると、第２の態様の可能な実現形態において、前記端末機器が、認可された周波数帯域のキャリアで、前記ネットワーク機器によって送信された前記第１の指示情報を受信することは、
前記端末機器が、マスタセルに対応する前記認可された周波数帯域のキャリアで、前記ネットワーク機器によって送信された前記第１の指示情報を受信することを含み、
前記無認可周波数帯域のキャリアは、前記ネットワーク機器のセカンダリセルに対応する周波数帯域のキャリアである。
【００３３】
第２の態様または上記のいずれかの可能な実現形態を参照すると、第２の態様の可能な実現形態において、前記第１の指示情報は、残存最小システム情報（ＲＭＳＩ）に搬送され、または、
前記第１の指示情報は、無線リソース制御（ＲＲＣ）シグナリングに搬送される。
【００３４】
第２の態様または上記のいずれかの可能な実現形態を参照すると、第２の態様の可能な実現形態において、前記方法は、
前記端末機器が、少なくとも１つの候補時間位置の後に前記ネットワーク機器によって送信された第２の指示情報を受信することであって、前記少なくとも１つの候補時間位置は、前記同期信号ブロックを実際に送信する候補時間位置であることをさらに含み、
前記第２の指示情報は、前記同期信号ブロックを実際に送信する候補時間位置のパターン、または前記同期信号ブロックを実際に送信する候補時間位置の数を含む。
【００３５】
第２の態様または上記のいずれかの可能な実現形態を参照すると、第２の態様の可能な実現形態において、前記第２の指示情報は、前記Ｍ個の候補時間位置における各候補時間位置で前記同期信号ブロックを送信したかどうかを指示することにより、前記同期信号ブロックを実際に送信する候補時間位置のパターンを指示する。
【００３６】
第２の態様または上記のいずれかの可能な実現形態を参照すると、第２の態様の可能な実現形態において、前記第２の指示情報は、前記同期信号ブロックを実際に送信する候補時間位置のパターンを指示し、前記少なくとも１つの候補時間位置は、配列順序に従って、それぞれ少なくとも１つの送信ビームに対応し、
前記方法は、
前記端末機器が、前記同期信号ブロックを実際に送信する少なくとも１つの候補時間位置の時間順序に従って、前記少なくとも１つの候補時間位置における各候補時間位置で、ネットワーク機器が前記同期信号ブロックを送信するために使用される送信ビームを決定することをさらに含む。
【００３７】
第２の態様または上記のいずれかの可能な実現形態を参照すると、第２の態様の可能な実現形態において、前記端末機器が、少なくとも１つの候補時間位置の後にネットワーク機器によって送信された第２の指示情報を受信することは、
前記無認可周波数帯域のキャリアで、前記端末機器が、前記少なくとも１つの候補時間位置の後に前記ネットワーク機器によって送信された第２の指示情報を受信することを含む。
【００３８】
第２の態様または上記のいずれかの可能な実現形態を参照すると、第２の態様の可能な実現形態において、前記端末機器が、少なくとも１つの候補時間位置の後にネットワーク機器によって送信された第２の指示情報を受信することは、
認可された周波数帯域のキャリアで、前記端末機器が、前記少なくとも１つの候補時間位置の後に前記ネットワーク機器によって送信された第２の指示情報を受信することを含む。
【００３９】
第２の態様または上記のいずれかの可能な実現形態を参照すると、第２の態様の可能な実現形態において、認可された周波数帯域のキャリアで、前記端末機器が、前記少なくとも１つの候補時間位置の後に前記ネットワーク機器によって送信された第２の指示情報を受信することは、
マスタセルに対応する前記認可された周波数帯域のキャリアで、前記端末機器が、前記少なくとも１つの候補時間位置の後に前記ネットワーク機器によって送信された第２の指示情報を受信することを含み、
前記無認可周波数帯域のキャリアは、前記ネットワーク機器のセカンダリセルに対応する周波数帯域のキャリアであることを含む。
【００４０】
第２の態様または上記のいずれかの可能な実現形態を参照すると、第２の態様の可能な実現形態において、前記端末機器が、前記Ｍ個の候補時間位置に基づいて、無認可周波数帯域のキャリアで信号を受信することは、
前記端末機器が、前記送信周期に応じて、前記Ｍ個の候補時間位置に基づき、無認可周波数帯域のキャリアで周期性的に信号を受信することを含む。
【００４１】
第２の態様または上記のいずれかの可能な実現形態を参照すると、第２の態様の可能な実現形態において、前記方法は、
前記端末機器が、前記Ｍ個の候補時間位置が前記同期信号ブロックによって占有されたと想定する方式で、前記同期信号ブロックではないチャネルまたは信号に対してレートマッチングを実行することをさらに含む。
【００４２】
第３の態様によれば、ネットワーク機器を提供し、上記の第１の態様または第１の態様の任意の可能な実施形態における方法を実行するように構成される。具体的に、前記ネットワーク機器は、上記の第１の態様または第１の態様の任意の可能な実施形態における方法を実行するように構成される機能モジュールを含む。
【００４３】
第４の態様によれば、端末機器を提供し、上記の第２態様または第２態様の任意の可能な実現形態における方法を実行するように構成される。具体的に、前記端末機器は、上記の第２の態様または第２の態様の任意の可能な実施形態における方法を実行するように構成される機能モジュールを含む。
【００４４】
第５の態様によれば、プロセッサ、メモリおよびトランシーバを含むネットワーク機器を提供する。前記プロセッサ、前記メモリおよび前記トランシーバの間は、内部接続パスを介してお互いに通信し、制御および／またはデータ信号を転送するため、前記ネットワーク機器が上記の第１態様または第１態様の任意の可能な実現形態における方法を実行するようにする。
【００４５】
第６の態様によれば、プロセッサ、メモリおよびトランシーバを含む端末機器を提供する。前記プロセッサ、前記メモリおよび前記トランシーバの間は、内部接続パスを介してお互いに通信し、制御および／またはデータ信号を転送するため、前記ネットワーク機器が上記の第２態様または第２態様の任意の可能な実現形態における方法を実行するようにする。
【００４６】
第７の態様によれば、コンピュータプログラムを記憶するために使用されるコンピュータ読み取り可能な媒体を提供し、前記コンピュータプログラムは、前記方法または任意の可能な実現形態における方法を実行するために使用される命令を含む。
【００４７】
第８の態様によれば、コンピュータによって実行されると、コンピュータが前記方法または任意の可能な実現形態における方法を実行するようにする、命令を含むコンピュータプログラム製品を提供する。
【図面の簡単な説明】
【００４８】
本出願の実施例の技術的解決策をより明確に説明するために、実施例または先行技術の説明で使用される図面を以下に簡単に紹介する。明らかなこととして、以下の説明における図面は、本出願のいくつかの実施例にすぎず、当業者にとって、創造的な努力なしにこれらの図面に従って他の図面を得ることができる。
【図１】本出願の実施例に係る無線通信システムの概略図である。
【図２】本出願の実施例に係る同期信号ブロックの配置の例示的なフローチャートである。
【図３】本出願の実施例に係る同期信号ブロックの配置の例示的なフローチャートである。
【図４】本出願の実施例に係る無線通信方法の例示的なフローチャートである。
【図５】本出願の実施例に係る候補時間位置とセンシング時間の時間関係図である。
【図６】本出願の実施例に係る候補時間位置とセンシング時間の時間関係図である。
【図７】本出願の実施例に係るネットワーク機器の例示的なブロック図である。
【図８】本出願の実施例に係る端末機器の例示的なブロック図である。
【図９】本出願の実施例に係るシステムチップの例示的なブロック図である。
【図１０】本出願の実施例に係る通信機器の例示的なブロック図である。
【発明を実施するための形態】
【００４９】
本出願の実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは将来の５Ｇシステムなど、様々な通信システムに適用することができる。
【００５０】
図１は、本出願の実施例を適用した無線通信システム１００を示す。前記無線通信システム１００は、ネットワーク機器１１０を含み得る。ネットワーク機器１１０は、端末機器と通信する機器であってもよい。ネットワーク機器１１０は、特定の地理的エリアに通信カバレッジを提供することができ、前記カバレッジエリア内に位置する端末機器（例えばＵＥなど）と通信することができる。代替的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、将来の５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００５１】
前記無線通信システム１００は、ネットワーク機器１１０のカバレッジエリア内に位置する少なくとも１つの端末機器１２０をさらに含む。端末機器１２０は、モバイルまたは固定であってもよい。代替的に、端末機器１２０は、アクセス端末、ユーザー機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または将来進化するＰＬＭＮの端末機器などであり得る。
【００５２】
代替的に、端末機器１２０間では、装置対装置（Ｄ２Ｄ：Ｄｅｖｉｃｅ  ｔｏ  Ｄｅｖｉｃｅ）通信を実行し得る。
【００５３】
代替的に、５Ｇシステムまたはネットワークは、ニューラジオ（ＮＲ：Ｎｅｗ  Ｒａｄｉｏ）システムまたはネットワークとも呼ばれる。
【００５４】
図１は、１つのネットワーク機器および２つの端末機器を例示的に示し、代替的に、前記無線通信システム１００は、複数のネットワーク機器を含むことができ、各ネットワーク機器のカバレッジエリア内には、他の数の端末機器が含まれることができるが、本出願の実施例はこれらに限定されない。
【００５５】
代替的に、前記無線通信システム１００は、ネットワークコントローラ、モバイル管理エンティティなどの他のネットワークエンティティをさらに含むことができるが、本出願の実施例はこれにら限定されない。
【００５６】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００５７】
同期信号ブロック（ＳＳ  ＢｌｏｃｋまたはＳＳＢ：ｓｙｎｃｈｒｏｎｏｕｓ  Ｓｉｇｎａｌ  Ｂｌｏｃｋ）は周期伝送を使用し、ＳＳ  Ｂｌｏｃｋ周期内において、特定の周波数点のＳＳバーストセット（ＳＳ  ｂｕｒｓｔ  ｓｅｔ）は、５ｍｓの時間ウィンドウ内に制限されることができ、最大のＳＳ  Ｂｌｏｃｋの数（即ち、同期信号ブロックの候補時間位置である）はＬであり、ここで、
３ＧＨｚ以内の周波数領域において、Ｌ＝４であり、
３ＧＨｚから６ＧＨｚまでの周波数領域において、Ｌ＝８であり、
６ＧＨｚから５２．６ＧＨｚまでの周波数領域において、Ｌ＝６４である。
【００５８】
ここで、５ｍｓの時間ウィンドウ内で、異なるサブキャリア間隔および異なる動作周波数帯域とって、ＳＳ  Ｂｌｏｃｋのタイムスロットの配置は図２に示されることができ、ここで、各行で満たされたブロックは、１つのタイムスロットであり得る。
【００５９】
ここで、図２の第１の行は、サブキャリア間隔が１５ＫＨＺ、Ｌ＝４である場合、ＳＳ  Ｂｌｏｃｋのタイムスロットの配置をを示す。図２の第２の行は、サブキャリア間隔が１５ＫＨＺ、Ｌ＝８である場合、ＳＳ  Ｂｌｏｃｋのタイムスロットの配置をを示す。図２の第３の行は、サブキャリア間隔が３０ＫＨＺ、Ｌ＝４である場合、ＳＳ  Ｂｌｏｃｋのタイムスロットの配置をを示す。図２の第４の行は、サブキャリア間隔が３０ＫＨＺ、Ｌ＝８である場合、ＳＳ  Ｂｌｏｃｋのタイムスロットの配置をを示す。図２的第５の行は、サブキャリア間隔が２４０ＫＨＺ、Ｌ＝６４である場合、ＳＳ  Ｂｌｏｃｋのタイムスロットの配置をを示す。
【００６０】
図３は、１５ＫＨＺ、３０ＫＨＺ、１２０ＫＨＺおよび２４０ＫＨＺであるサブキャリア間隔でのタイムスロットにおける同期信号ブロックのパターンの配置を示す。ここで、図３では、各ブロックは１つのシンボル（時間領域シンボル、シンボル位置または時間領域シンボル位置などに呼ばれることもできる）を表し、各行の最初のブロックは、１つのタイムスロットの最初のシンボルを表し、１４個の連続するシンボルは１つのタイムスロットである。同じラインで満たされた４つの連続したシンボルは、同期信号ブロックの１つの候補時間位置と見なすことができる。
【００６１】
ここで、図３の第１の行は、サブキャリア間隔が１５ＫＨＺである場合、タイムスロットにおける同期信号ブロックのパターンの配置を示す。図３の第２のおよび第３の行は、サブキャリア間隔が３０ＫＨＺである場合、タイムスロットにおける同期信号ブロックのパターンの配置を示す。図３の第４の行は、サブキャリア間隔が１２０ＫＨＺである場合、タイムスロットにおける同期信号ブロックのパターンの配置を示す。図３の第５の行は、サブキャリア間隔が２４０ＫＨＺである場合、タイムスロットにおける同期信号ブロックのパターンの配置を示す。
【００６２】
図３に示されたように、１５ＫＨＺおよび３０ＫＨＺであるサブキャリア間隔では、１４個のシンボルの最初に、ダウンリンク制御のための少なくとも１つまたは２つのシンボルを予約し、最後に、ガードインターバルまたはアップリンク制御などのための少なくとも２つのシンボルを予約する。
【００６３】
１２０ＫＨＺのサブキャリア間隔では、１４個のシンボルの最初に、ダウンリンク制御のための少なくとも２つのシンボルを予約し、最後に、ガードインターバルまたはアップリンク制御などのための少なくとも２つのシンボルを予約する。
【００６４】
２４０ＫＨＺのサブキャリア間隔では、２つの連続したタイムスロットを跨り、最初のタイムスロットの最初に、ダウンリンク制御のための少なくとも４つのシンボルを予約し、２番目のタイムスロットの最後に、ガードインターバルまたはアップリンク制御などのための少なくとも４つのシンボルを予約する。
【００６５】
認可された周波数帯域において、ネットワーク機器は、Ｌ個の候補時間位置において、ネットワーク機器が、どっちの候補時間位置または候補時間位置らで同期信号ブロックを端末機器に送信することを端末機器に事前に指示することができる。
【００６６】
無認可周波数帯域において、搬送波感知多重アクセス／衝突検出方法（ＣＳＭＡ／ＣＤ：Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ）および搬送波感知多重アクセス／衝突回避（ＣＳＭＡ／ＣＡ：Ｃａｒｒｉｅｒ  Ｓｅｎｓｅ  ｍｕｌｔｉｐｌｅ  Ａｃｃｅｓｓ／Ｃｏｌｌｉｓｉｏｎ  Ａｖｏｉｄａｎｃｅ）を使用することができる。送信ノードは、無線信号を送信する前に、リッスンビフォアトーク（ＬＢＴ：  ｌｉｓｔｅｎ  ｂｅｆｏｒｅ  ｔａｌｋ）メカニズムを使用して、チャネルモニタリングを実行し、チャネルがアイドル状態であるかどうかを判断することができる。
【００６７】
無認可周波数帯域において、ネットワーク機器が端末機器に信号を送信する必要がある場合、無認可周波数帯域のキャリアをセンシングする必要があり、具体的に実現する場合、ネットワーク機器はセンシングする前に、乱数を生成することができ、生成された乱数に対応する時間範囲内で、キャリアがアイドル状態になるまでセンシングした場合、信号を送信することができる。
【００６８】
したがって、無認可周波数帯域で、同期信号ブロックを送信するときに、ネットワーク機器がＬ個の候補時間位置において、ネットワーク機器が、どっちの候補時間位置または候補時間位置らで同期信号ブロックを端末機器に送信することを端末機器に事前に指示し、ここで、特定の候補時間位置は、特定の送信ビームに対応し、ネットワーク機器が、指定された候補時間位置を先取りすることができない場合、特定の送信ビームを使用して同期信号ブロックを送信することができず、端末機器は、前記ネットワーク機器によって事前に指定された候補時間位置で、前記特定送信ビームによって送信された同期信号ブロックを受信することができず、同期化、および特定のビームの測定などを実現することができない。したがって、本出願の実施例は、図４に示された方法２００を提供して当該問題を解決することができる。
【００６９】
図４は、本出願の実施例に係る無線通信方法２００の例示的なフローチャートである。前記方法２００は、以下のコンテンツの少なくとも一部を含む。
【００７０】
ステップ２１０において、ネットワーク機器は、同期信号ブロックのＭ個の候補時間位置に基づいて、無認可周波数帯域のキャリアがアイドル状態であるかどうかをセンシングし、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置である。
【００７１】
ここで、前記Ｍは１より大きいか等しい整数であり、Ｍが１より大きい場合、Ｍ個の候補時間位置は複数の連続した候補時間位置（即ち、候補時間位置間に他の候補時間位置がある間隔はないが、間隔がないこととは候補時間位置のシンボルのために使用されないことを表さない）であり得、例えば、サブキャリア間隔が１５ＫＨＺ、Ｌ＝４である場合、Ｍ個の候補時間位置は、１つのタイムスロットにおける２つの候補時間位置であってもよく、または２つのタイムスロットにおける前のタイムスロットの２番目の候補時間位置、および次のタイムスロットの最初の候補時間位置であってもよい。
【００７２】
または、Ｍ個の候補時間位置は、複数の連続しない候補時間位置（即ち、候補時間位置間には他の候補時間位置がある間隔がある可能性がある）であり得、例えば、サブキャリア間隔が１５ＫＨＺ、Ｌ＝４である場合、Ｍ個の候補時間位置は、２つのタイムスロットにおける前のタイムスロットの最初の候補時間位置、および次のタイムスロットの最初の候補時間位置を含み得る。
【００７３】
代替的に、ネットワーク機器は、前記Ｍ個の候補時間位置における各候補時間位置の前に、前記無認可周波数帯域のキャリアがアイドル状態であるかどうかを順次にモニタリングし、Ｎ（Ｎは、Ｍより小さいか等しい正の整数である）個の候補時間位置の前に前記無認可周波数帯域のキャリアがアイドル状態であることをセンシングするまで、または前記Ｍ個の候補時間位置における最後の候補時間位置まで、前記無認可周波数帯域のキャリアをモニタリングすることができ、ここで、Ｎは、前記ネットワーク機器が前記同期信号ブロックを送信すると予想される候補時間位置の数である。
【００７４】
例えば、図２および図３に示されたように、サブキャリア間隔が１５ＫＨＺ、Ｌ＝４である場合、Ｍ＝２であると、候補時間位置が連続したかどうかに関係なく、隣接する候補時間位置のすべてに間隔のシンボルがあるため、Ｍ個の候補時間位置に対してキャリアセンシングを実行することができるときに、候補時間位置の時間順序に従って、各候補時間位置の前にキャリアセンシングをそれぞれ実行することができる。
【００７５】
Ｍ個の候補時間位置における隣接する２つの候補時間位置間に間隔のシンボル（例えば、図３の第２、４および５行の、タイムスロットにある連続した候補時間位置など）がない場合、前記隣接する２つの候補時間位置の前の候補時間位置で同期信号ブロックの送信を実行すると、次の候補時間位置でキャリアのセンシングを実行する必要がない可能性があることを理解されたい。ここで、本出願の実施例によって言及された説明「ネットワーク機器は、前記Ｍ個の候補時間位置における各候補時間位置の前に、前記無認可周波数帯域のキャリアがアイドル状態であるかどうかを順次にモニタリングし、Ｎ（Ｎは、Ｍより小さいか等しい正の整数である）個の候補時間位置の前に前記無認可周波数帯域のキャリアがアイドル状態であることをセンシングするまで、または前記Ｍ個の候補時間位置における最後の候補時間位置まで、前記無認可周波数帯域のキャリアをモニタリングすることができる」は、普遍性を考慮した場合であり、隣接する２つの候補時間位置間に間隔のシンボルがない場合、且つ前の候補時間位置が同期信号ブロックを送信することにより、キャリアセンシングを実行する必要がない場合も、上記の説明の保護範囲内に含まれる。
【００７６】
Ｍ個の候補時間位置における隣接する２つの候補時間位置（例えば、隣接するタイムスロット間の候補時間位置、または、図３に示されたタイムスロットにおけるシンボル間隔がある隣接する候補時間位置）間に間隔のシンボルがある場合、前記隣接する２つの候補時間位置における前の候補時間位置で同期信号ブロックの送信を行い、ネットワーク機器は、次の候補時間位置を同期信号ブロックに送信することを望むと、間隔のシンボルは間隔のシンボルで占有信号を送信することができることを理解されたい。
【００７７】
ここで、ネットワーク機器が占有信号を送信するかどうかは、具体的な状況によって決められることができる。例えば、Ｍが連続した候補時間位置である場合、ネットワーク機器在が最初の候補時間位置で同期信号ブロックを送信することができると、ネットワーク機器がリソースを先取りする可能性が高いため、後続の時間位置の前に、キャリアのセンシングを行うことができる。例えば、ネットワーク機器が、２つの候補時間位置で同期信号ブロックを送信することを望み、ネットワーク機器が、Ｍ個の候補時間位置における最後から２番目の候補時間位置で最初の同期信号ブロックを送信する場合、ネットワーク機器は、最後から２番目の候補時間位置と最後の候補時間位置との間で占有信号を送信することにより、最後の候補時間位置で同期信号ブロックを送信することを保証することができる。
【００７８】
代替的に、前記各候補時間位置の前にキャリアモニタリングを実行した場合、前記ネットワーク機器によってセンシングされた第１のビーム方向は第２のビーム方向と一致し、ここで、前記第２のビーム方向は、前記各候補時間位置で前記同期信号ブロックを送信する時に使用されると予想する送信ビーム方向である。
【００７９】
具体的に、ネットワーク機器が特定の候補時間位置の前にキャリアモニタリングを実行するとき、前記候補時間位置で、ビーム方向Ａを使用して同期信号ブロックをすることを望む場合、ビーム方向Ａでキャリアのセンシングを実行することができる。
【００８０】
代替的に、ネットワーク機器は、候補時間位置の前にセンシングする場合、先に乱数を生成することができ、前記乱数に対応する時間範囲はｘミリ秒であり、図５に示されたように、候補時間位置に対して、ｘミリ秒早くセンシングすることができ、これは、ｘミリ秒終了後、ちょうど候補時間位置に到達することを意味する。または、図６に示されたように、候補時間位置に対して、ｘ＋ｙミリ秒早くセンシングし、センシング終了後、あとｙミリ秒で候補時間位置に到達するため、前記ｙミリ秒で占有信号を送信することができる。
【００８１】
代替的に、ステップ２２０において、センシング結果に従って、前記ネットワーク機器は、前記Ｍ個の候補時間位置の少なくとも１つの候補時間位置で、前記同期信号ブロックを送信する。
【００８２】
ネットワーク機器がＭ個の候補時間位置の少なくとも１つの候補時間位置でキャリアがアイドル状態であることをセンシングした場合、前記少なくとも１つの候補時間位置で同期信号ブロックを送信することができることを理解されたい。Ｍ個の候補時間位置でキャリアがアイドル状態であることをセンシングしてない場合、今回の同期信号ブロックの送信周期で、同期信号ブロックを送信する必要がない。
【００８３】
代替的に、前記少なくとも１つの候補時間位置における各候補時間位置の前に、前記ネットワーク機器は、前記無認可周波数帯域のキャリアがアイドル状態であることをそれぞれセンシングする。
【００８４】
もちろん、以上に示されたように、前の候補時間位置で同期信号ブロックを送信した場合でも、２つの候補時間位置間のシンボルで占用シンボルを送信することができることにより、後の候補時間位置で同期信号ブロックを送信することができることを実現することができ、ここでは繰り返されない。
【００８５】
代替的に、前記同期信号ブロックを実際に送信する候補時間位置が複数である場合、複数の候補時間位置のうちの任意の２つの候補時間位置で前記同期信号ブロックを送信するときに、異なる送信ビームを使用する。
【００８６】
代替的に、本出願の実施例によって言及されるＮは、前記ネットワーク機器が前記同期信号ブロックを送信すると予想される候補時間位置の数を表し、前記Ｎの値は、ネットワーク機器期望によって送信されたビーム数量と関係がある可能性がある。
【００８７】
例えば、ネットワーク機器が、セル全体に対するカバレッジを実現することができるために、２つのビームを送信する必要があると仮定すると、Ｎは２であり得る。
【００８８】
ステップ２３０において、端末機器は、同期信号ブロックの前記Ｍ個の候補時間位置を決定する。
【００８９】
ステップ２４０において、端末機器は、前記Ｍ個の候補時間位置に基づいて、無認可周波数帯域のキャリアで信号を受信する。
【００９０】
代替的に、前記無認可周波数帯域のキャリアで、Ｎ（Ｎは、Ｍより小さいか等しい正の整数である）個の候補時間位置で同期信号ブロックを取得するまで、または前記Ｍ個の候補時間位置における最後の候補時間位置で同期信号ブロックの検出を行うまで、前記Ｍ個の候補時間位置における各候補時間位置で順次に前記同期信号ブロックの検出を行う。
【００９１】
代替的に、前記ネットワーク機器は、前記同期ブロックの送信周期に応じて、前記Ｍ個の候補時間位置に基づき、前記無認可周波数帯域のキャリアで周期性的にセンシングする。
【００９２】
対応的に、前記端末機器は、前記送信周期に応じて、前記Ｍ個の候補時間位置に基づき、無認可周波数帯域のキャリアで周期性的に信号を受信する。
【００９３】
代替的に、前記ネットワーク機器は、前記Ｍ個の候補時間位置が前記同期信号ブロックによって占有されたと想定する方式で、前記同期信号ブロックではないチャネルまたは信号に対してレートマッチングを実行する。
【００９４】
対応的に、前記端末機器は、前記Ｍ個の候補時間位置が前記同期信号ブロックによって占有されたと想定する方式で、前記同期信号ブロックではないチャネルまたは信号に対してレートマッチングを実行する。
【００９５】
具体的に、前記Ｍ個の候補時間位置が、無認可周波数帯域でプライマリ同期信号ブロックを送信するために使用されることができる可能な位置であるため、無認可周波数帯域で、ネットワーク機器および端末機器がレートマッチングする場合、前記Ｍ個の候補時間位置が前記同期信号ブロックに占有されたと想定して、他のチャネルまたは信号をレートマッチングすることができ、それにより、レートマッチングの正確性を実現することができる。
【００９６】
代替的に、前記ネットワーク機器は第１の指示情報を送信し、前記第１の指示情報は、前記Ｍ個の候補時間位置または前記Ｍを指示し、および／またはＮ（Ｎは、Ｍより小さいか等しい正の整数である）を指示し、Ｎは、前記ネットワーク機器が前記同期信号ブロックを送信すると予想される候補時間位置の数である。
【００９７】
具体的に、ネットワーク機器は、第１の指示情報を介して端末機器に前記Ｍ個の候補時間位置を指示することができるため、端末機器は、前記第１の指示情報に基づいて前記Ｍ個の候補時間位置を知り、前記Ｍ個の候補時間位置で同期信号ブロックの検出を行うことができる。
【００９８】
または、ネットワーク機器が第１の指示情報を介して端末機器に前記Ｍを指示することができあるため、端末機器は前記第１の指示情報に基づいて前記Ｍを知ることができ、ここで、特定のＭに対して、特定の時間領域における候補時間位置の占有は端末機器よってプリセットされることができる。
【００９９】
または、ネットワーク機器が第１の指示情報を介して端末機器に前記Ｎを指示することができるため、端末機器は、前記第１の指示情報に基づいて前記Ｎを知ることができ、ここで、ネットワーク機器は、前記第１の指示情報を介してＭおよびＮを同時に指示し、またはＭ個の候補時間位置およびＮを同時に指示することができる。
【０１００】
代替的に、前記第１の指示情報は、残存最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）に搬送されることができ、または、前記第１の指示情報は、無線リソース制御（Ｒａｄｉｏ  Ｒｅｓｏｕｒｃｅ  Ｃｏｎｔｒｏｌ、ＲＲＣ）シグナリングに搬送されることができる。もちろん、前記第１の指示情報は、他の信号またはチャネルに搬送されることができるが、本出願の実施例はこれらに対して特に限定しない。
【０１０１】
代替的に、前記ネットワーク機器は、前記無認可周波数帯域のキャリアを介して前記第１の指示情報を送信する。対応的に、前記端末機器は、前記無認可周波数帯域のキャリアで、前記ネットワーク機器によって送信された前記第１の指示情報を受信する。
【０１０２】
代替的に、前記ネットワーク機器は、認可された周波数帯域のキャリアを介して前記第１の指示情報を送信する。対応的に、前記端末機器は、認可された周波数帯域のキャリアで、前記ネットワーク機器によって送信された前記第１の指示情報を受信する。
【０１０３】
代替的に、前記ネットワーク機器は、マスタセルに対応する前記認可された周波数帯域のキャリアを使用して、前記第１の指示情報を送信し、ここで、前記無認可周波数帯域のキャリアは、前記ネットワーク機器のセカンダリセルに対応する周波数帯域のキャリアである。対応的に、前記端末機器は、マスタセルに対応する前記認可された周波数帯域のキャリアで、前記ネットワーク機器によって送信された前記第１の指示情報を受信する。
【０１０４】
代替的に、前記ネットワーク機器は、前記少なくとも１つの候補時間位置の後に、第２の指示情報を送信し、前記第２の指示情報は、前記同期信号ブロックを実際に送信する候補時間位置のパターン、または前記同期信号ブロックを実際に送信する候補時間位置の数を指示する。対応的に、前記端末機器は、前記少なくとも１つの候補時間位置の後に前記ネットワーク機器によって送信された第２の指示情報を受信する。
【０１０５】
具体的に、無認可周波数帯域の性能のため、ネットワーク機器は、キャリアをセンシングし、少なくとも１つの候補時間位置で同期信号ブロックを実際に送信した後こそ、実際に送信された同期信号ブロックの数または画像を知ることができ、ネットワーク機器は、前記少なくとも１つの候補時間位置の後に、端末機器に指示実際に送信された同期信号ブロックの数およびパターンを送信することができる。端末機器は、まず、Ｍ個の候補時間位置で受信した信号をキャッシュし、ネットワーク機器の指示を受信した後に、キャッシュされた信号から同期信号ブロックを取得する。
【０１０６】
代替的に、前記第２の指示情報は、指示前記Ｍ個の候補時間位置における各候補時間位置で前記同期信号ブロックを送信するかどうかを指示することにより、前記同期信号ブロックを実際に送信する候補時間位置のパターンを指示する。例えば、Ｍが４に等しい場合、端末機器は、ビットマッピングを通じて実際に送信するプライマリ同期信号ブロックの数を指示することができ、例えば、第２の指示情報のビット値が１１００であることは、４つの候補時間位置における、最初および二番目の候補時間位置でプライマリ同期信号を送信し、３番目および４番目の候補時間位置では送信しないことを表す。
【０１０７】
代替的に、前記第２の指示情報は、前記同期信号ブロックを実際に送信する候補時間位置のパターンを指示し、前記少なくとも１つの候補時間位置は、配列順序に従って、それぞれ少なくとも１つの送信ビームに対応し、言い換えれば、前記少なくとも１つの候補時間位置における各候補時間位置は、前記少なくとも１つの候補時間位置における配列順序に従って、前記同期信号ブロックの１つの特定のビームに対応する。前記端末機器は、前記同期信号ブロックを実際に送信する少なくとも１つの候補時間位置の時間順序に従って、前記少なくとも１つの候補時間位置における各候補時間位置で、ネットワーク機器が前記同期信号ブロックを送信するために使用される送信ビームを決定する。
【０１０８】
具体的に、端末機器は、特定の場合では、受信した同期信号ブロックの送信ビームを知る必要があり、ネットワーク機器が少なくとも１つの候補時間位置で同期信号ブロックを送信する場合、時系列に従って、各候補時間位置をそれぞれ１つの送信ビームに対応し、送信ビームは候補時間位置に１つずつ対応し、それにより、端末機器は、受信した同期ブロックが位置する候補時間位置に従って、各同期信号ブロックの送信ビームを決定する。
【０１０９】
例えば、送信ビームＡ、Ｂ、ＣおよびＤは、時間順序に従って配列された候補時間位置に対応する必要があり、ネットワーク機器によって実際に送信された同期信号ブロックの候補時間位置がＬの２番目および３番目である場合、２番目の候補時間位置に対応する送信ビームはＡであり、３番目の候補時間位置に対応する送信ビームはＢである。
【０１１０】
代替的に、端末機器によって取得された同期信号ブロックの送信ビームは測定のためであり、例えば、モビリティ測定（例えば、無線リソース管理（ＲＲＭ：Ｒａｄｉｏ  Ｒｅｓｏｕｒｃｅ  Ｍａｎａｇｅｍｅｎｔ）、無線リンクモニタリン（ＲＬＭ：Ｒａｄｉｏ  ｌｉｎｋ  ｍｏｎｉｔｏｒｉｎｇ）、またはビーム管理に関する測定）をすることができる。
【０１１１】
ここで、各測定周期は少なくとも１つの送信周期を含み得、端末機器は、少なくとも１つの送信周期において同じ送信ビームを有する同期信号ブロックの測定結果を平均化することができる。
【０１１２】
代替的に、前記少なくとも１つの候補時間位置の後に、前記ネットワーク機器は、前記無認可周波数帯域のキャリアを介して前記第２の指示情報を送信する。対応的に、前記無認可周波数帯域のキャリアで、前記端末機器は、前記少なくとも１つの候補時間位置の後に前記ネットワーク機器によって送信された第２の指示情報を受信する。
【０１１３】
代替的に、前記少なくとも１つの候補時間位置の後に、前記ネットワーク機器が、認可された周波数帯域のキャリアを介して前記第２の指示情報を送信する。対応的に、認可された周波数帯域のキャリアで、前記端末機器は、前記少なくとも１つの候補時間位置の後に前記ネットワーク機器によって送信された第２の指示情報を受信する。
【０１１４】
代替的に、前記ネットワーク機器は、マスタセルに対応する前記認可された周波数帯域のキャリアを使用して、前記第２の指示情報を送信し、ここで、前記無認可周波数帯域のキャリアは、前記ネットワーク機器のセカンダリセルに対応する周波数帯域のキャリアである。対応的に、マスタセルに対応する前記認可された周波数帯域のキャリアで、前記端末機器は、前記少なくとも１つの候補時間位置の後に前記ネットワーク機器によって送信された第２の指示情報を受信する。
【０１１５】
代替的に、前記第２の指示情報は物理層シグナリングに搬送されることができ、例えば、ダウンリンク制御情報（ＤＣＩ：Ｄｏｗｎｌｉｎｋ  Ｃｏｎｔｒｏｌ  Ｉｎｆｏｒｍａｔｉｏｎ）に搬送されることができる。
【０１１６】
したがって、本出願の実施例において、ネットワーク機器は、同期信号ブロックのＬ個の候補時間位置におけるＭ個の候補時間位置に基づいて、無認可周波数帯域のキャリアがアイドル状態であるかどうかをセンシングし、センシング結果に従って、Ｍ個の候補時間位置の少なくとも１つの候補時間位置で同期信号ブロックの送信を行い、Ｍ個の候補時間位置の少なくとも１つの候補時間位置で送信される前記同期信号ブロックを取得するために、端末機器は、前記Ｍ個の候補時間位置に基づいて、無認可周波数帯域のキャリアで信号を受信することができ、固定の候補時間位置で同期信号ブロックの伝送を行う必要がなく、無認可周波数帯域のキャリアで同期信号ブロックの伝送を行うことができる。
【０１１７】
図７は、本出願の実施例に係るネットワーク機器３００の例示的なブロック図である。前記ネットワーク機器３００はセンシングユニット３１０を含み、および代替的に、送信ユニット３２０を含み、ここで
前記センシングユニット３１０は、同期信号ブロックのＭ個の候補時間位置に基づいて、無認可周波数帯域のキャリアがアイドル状態であるかどうかをモニタリングするように構成され、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であり、前記送信ユニット３２０は、センシング結果に従って、前記Ｍ個の候補時間位置の少なくとも１つの候補時間位置で、前記同期信号ブロックを送信するように構成される。
【０１１８】
前記ネットワーク機器３００は、方法の実施例におけるネットワーク機器に対応することができ、方法の実施例におけるネットワーク機器によって実現される対応する動作を実現することができ、簡潔にするために、ここでは繰り返さないことを理解されたい。
【０１１９】
図８は、本出願の実施例に係る端末機器４００の例示的なブロック図であり、前記端末機器４００は処理ユニット４１０および通信ユニット４２０を含み、
前記処理ユニット４１０は、同期信号ブロックのＭ個の候補時間位置を決定するように構成され、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であり、前記通信ユニット４２０は、前記同期信号ブロックを取得するために、前記Ｍ個の候補時間位置に基づいて、無認可周波数帯域のキャリアで信号を受信するように構成される。
【０１２０】
前記端末機器４００は、方法の実施例における端末機器に対応することができ、方法の実施例における端末機器によって実現される対応する動作を実現することができ、簡潔にするために、ここでは繰り返さないことを理解されたい。
【０１２１】
図９は、本出願の実施例のシステムチップ６００の例示的なブロック図である。図９のシステムチップ６００は、入力インターフェース６０１、出力インターフェース６０２、プロセッサ６０３、およびメモリ６０４を含み、前記プロセッサ６０３と前記メモリ６０４は、内部通信接続線を介して接続されてもよく、前記プロセッサ６０３は、前記メモリ６０４内のコードを実行するように構成される。
【０１２２】
代替的に、前記コードが実行されるとき、前記プロセッサ６０３は、方法の実施例における端末装置によって実行される方法を実現する。簡潔性のために、ここでは繰り返さない。
【０１２３】
代替的に、前記コードが実行されるとき、前記プロセッサ６０３は、方法の実施例におけるネットワーク機器によって実行される方法を実現する。簡潔性のために、ここでは繰り返さない。
【０１２４】
図１０は、本出願の実施例の通信機器７００の例示的なブロック図である。図１０に示されるように、前記通信機器７００は、プロセッサ７１０およびメモリ７２０を含む。ここで、前記メモリ７２０は、プログラムコードを記憶してもよく、前記プロセッサ７１０は、前記メモリ７２０に記憶されたプログラムコードを実行してもよい。
【０１２５】
代替的に、図１０に示されるように、前記通信機器７００はトランシーバ７３０を含むことができ、プロセッサ７１０は、トランシーバ７３０の外部通信を制御することができる。
【０１２６】
代替的に、前記プロセッサ７１０は、メモリ７２０に記憶されたプログラムコードを呼び出して、方法の実施例における端末機器の対応する動作を実行してもよく、簡潔にするために、ここでは繰り返さない。
【０１２７】
代替的に、前記プロセッサ７１０は、メモリ７２０に記憶されたプログラムコードを呼び出して、方法の実施例における端末機器の対応する動作を実行してもよく、簡潔にするために、ここでは繰り返さない。
【０１２８】
本出願の実施例におけるプロセッサは、信号の処理能力を備えた集積回路チップであり得ることを理解されたい。実現プロセスにおいて、上記の方法の実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本出願の実施例の公開された各方法、ステップおよび論理ブロック図を実現または実行することができる。汎用プロセッサはマイクロプロセッサであってもよく、または前記プロセッサは任意の従来のプロセッサなどであってもよい。本出願の実施例と組み合わせて開示される方法のステップは、ハードウェア復号化プロセッサに直接に具現されて実行し、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【０１２９】
本出願の実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。前記メモリは、例示的であるが制限的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭが利用可能である。本明細書で説明されるシステムおよび方法のメモリは、これらおよび任意の他の適切なタイプのメモリを含むことが意図されているが、これらに限定されないことに留意されたい。
【０１３０】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１３１】
説明の便宜上および簡潔にするために、上記に説明されたシステム、装置およびユニットの具体的な作業プロセスは、前述の方法の実施例中の対応するプロセスを参照することができ、ここでは繰り返さないことを当業者は明確に理解することができる。
【０１３２】
本出願で提供されるいくつかの実施例では、開示されたシステム、装置および方法は、他の方法で実現されることができることを理解されたい。例えば、上記で説明された装置の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェース、装置またはユニットを介した間接結合または通信接続であり得、電気的、機械的または他の形態であり得る。
【０１３３】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本実施例の技術案の目的を実現することができる。
【０１３４】
さらに、本出願の各実施例における各機能ユニットは１つの処理ユニットに統合されてもよく、または各ユニットが物理的に別々に存在してもよく、２つまたは２つ以上のユニットを１つのユニットに統合してもよい。
【０１３５】
前記機能がソフトウェア機能ユニットの形で実現され、独立した製品として販売され、または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法のステップの全部または一部を実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１３６】
上記の内容は、本出願の具体的な実施形態に過ぎず、本出願の保護範囲はこれに限定されず、当業者が本出願に開示された技術的範囲内で容易に想到し得る変更または置換は、すべて本出願の保護範囲内に含まれるべきである。したがって、本出願の保護範囲は、特許請求の保護範囲を基準とするべきである。
【図１】
2021513760.tif 000003
【図２】
2021513760.tif 000004
【図３】
2021513760.tif 000005
【図４】
2021513760.tif 000006
【図５】
2021513760.tif 000007
【図６】
2021513760.tif 000008
【図７】
2021513760.tif 000009
【図８】
2021513760.tif 000010
【図９】
2021513760.tif 000011
【図１０】
2021513760.tif 000012
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
無線通信方法であって、
ネットワーク機器が、同期信号ブロックのＭ個の候補時間位置に基づいて、無認可周波数帯域上のキャリアがアイドル状態であるかどうかをモニタリングすることであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることを含むことを特徴とする、前記無線通信方法。
【請求項２】
前記ネットワーク機器が、同期信号ブロックのＭ個の候補時間位置に基づいて、無認可周波数帯域上のキャリアがアイドル状態であるかどうかをセンシングすることは、
前記Ｍ個の候補時間位置における各候補時間位置の前に、Ｎ（Ｎは、Ｍより小さいか等しい正の整数である）個の候補時間位置の前に前記無認可周波数帯域上のキャリアがアイドル状態であることをセンシングするまで、または前記Ｍ個の候補時間位置における最後の候補時間位置の前に前記無認可周波数帯域上のキャリアに対するモニタリングが完了するまで、前記無認可周波数帯域上のキャリアがアイドル状態であるかどうかを順次にモニタリングすることであって、Ｎは、前記ネットワーク機器が前記同期信号ブロックを送信することを期待する候補時間位置の数であることを含むことを特徴とする、
請求項１に記載の無線通信方法。
【請求項３】
前記方法は、
前記ネットワーク機器が、前記少なくとも１つの候補時間位置の後に、第２の指示情報を送信することをさらに含み、
前記第２の指示情報は、前記同期信号ブロックを実際に送信する候補時間位置のパターン、または前記同期信号ブロックを実際に送信する候補時間位置の数を指示することを特徴とする、
請求項１または２に記載の無線通信方法。
【請求項４】
前記第２の指示情報は、前記同期信号ブロックを実際に送信する候補時間位置のパターンを指示し、
前記少なくとも１つの候補時間位置は、配列順序に従って、それぞれ少なくとも１つの送信ビームに対応し、
前記ネットワーク機器が、前記少なくとも１つの候補時間位置の後に、第２の指示情報を送信することは、
前記少なくとも１つの候補時間位置の後に、前記ネットワーク機器が、前記無認可周波数帯域上のキャリアを介して前記第２の指示情報を送信することを含むことを特徴とする、
請求項３に記載の無線通信方法。
【請求項５】
前記ネットワーク機器が、前記少なくとも１つの候補時間位置の後に、第２の指示情報を送信することは、
前記少なくとも１つの候補時間位置の後に、前記ネットワーク機器が、認可された周波数帯域上のキャリアを介して前記第２の指示情報を送信することを含み、
前記ネットワーク機器が、認可された周波数帯域上のキャリアを介して前記第２の指示情報を送信することは、
前記ネットワーク機器が、マスタセルに対応する前記認可された周波数帯域上のキャリアを使用して、前記第２の指示情報を送信することを含み、
前記無認可周波数帯域上のキャリアは、前記ネットワーク機器のセカンダリセルに対応する周波数帯域上のキャリアであることを特徴とする、
請求項３または４に記載の無線通信方法。
【請求項６】
無線通信方法であって、
端末機器が、同期信号ブロックのＭ個の候補時間位置を決定することであって、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることと、
前記同期信号ブロックを取得するために、端末機器が、前記Ｍ個の候補時間位置に基づいて、無認可周波数帯域上のキャリアで信号を受信することとを含む、前記無線通信方法。
【請求項７】
前記端末機器が、前記Ｍ個の候補時間位置に基づいて、無認可周波数帯域上のキャリアで信号を受信することは、
前記無認可周波数帯域上のキャリアで、Ｎ（Ｎは、Ｍより小さいか等しい正の整数である）個の候補時間位置で同期信号ブロックを取得するまで、または前記Ｍ個の候補時間位置における最後の候補時間位置で同期信号ブロックの検出を実行するまで、前記Ｍ個の候補時間位置における各候補時間位置で順次に前記同期信号ブロックの検出を実行することであって、Ｎは、ネットワーク機器が前記同期信号ブロックを送信することを期待する候補時間位置の数であることを含むことを特徴とする、
請求項６に記載の無線通信方法。
【請求項８】
前記方法は、
前記端末機器が、少なくとも１つの候補時間位置の後に前記ネットワーク機器によって送信された第２の指示情報を受信することであって、前記少なくとも１つの候補時間位置は、前記同期信号ブロックを実際に送信する候補時間位置であることをさらに含み、
前記第２の指示情報は、前記同期信号ブロックを実際に送信する候補時間位置のパターン、または前記同期信号ブロックを実際に送信する候補時間位置の数を含むことを特徴とする、
請求項６または７に記載の無線通信方法。
【請求項９】
前記第２の指示情報は、前記同期信号ブロックを実際に送信する候補時間位置のパターンを指示し、前記少なくとも１つの候補時間位置は、配列順序に従って、それぞれ少なくとも１つの送信ビームに対応し、
前記方法は、
前記端末機器が、前記同期信号ブロックを実際に送信する少なくとも１つの候補時間位置の時間順序に従って、前記少なくとも１つの候補時間位置における各候補時間位置で、ネットワーク機器が前記同期信号ブロックを送信するために使用される送信ビームを決定することをさらに含み、
前記端末機器が、少なくとも１つの候補時間位置の後にネットワーク機器によって送信された第２の指示情報を受信することは、
前記無認可周波数帯域上のキャリアで、前記端末機器が、前記少なくとも１つの候補時間位置の後に前記ネットワーク機器によって送信された第２の指示情報を受信することを含むことを特徴とする、
請求項８に記載の無線通信方法。
【請求項１０】
前記端末機器が、少なくとも１つの候補時間位置の後に、ネットワーク機器によって送信された第２の指示情報を受信することは、
認可された周波数帯域上のキャリアで、前記端末機器が、前記少なくとも１つの候補時間位置の後に前記ネットワーク機器によって送信された第２の指示情報を受信することを含み、
認可された周波数帯域上のキャリアで、前記端末機器が、前記少なくとも１つの候補時間位置の後に前記ネットワーク機器によって送信された第２の指示情報を受信することは、
マスタセルに対応する前記認可された周波数帯域上のキャリアで、前記端末機器が、前記少なくとも１つの候補時間位置の後に前記ネットワーク機器によって送信された第２の指示情報を受信することを含み、
前記無認可周波数帯域上のキャリアは、前記ネットワーク機器のセカンダリセルに対応する周波数帯域上のキャリアであることを特徴とする、
請求項８または９に記載の無線通信方法。
【請求項１１】
ネットワーク機器であって、
センシングユニットを含み、
前記センシングユニットは、同期信号ブロックのＭ個の候補時間位置に基づいて、無認可周波数帯域上のキャリアがアイドル状態であるかどうかをモニタリングするように構成され、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であることを特徴とする、前記ネットワーク機器。
【請求項１２】
前記センシングユニットは、さらに、
前記Ｍ個の候補時間位置における各候補時間位置の前に、Ｎ（Ｎは、Ｍより小さいか等しい正の整数である）個の候補時間位置の前に前記無認可周波数帯域上のキャリアがアイドル状態であることをセンシングするまで、または前記Ｍ個の候補時間位置における最後の候補時間位置の前に前記無認可周波数帯域上のキャリアに対するモニタリングが完了するまで、前記無認可周波数帯域上のキャリアがアイドル状態であるかどうかを順次にモニタリングするように構成され、Ｎは、前記ネットワーク機器が前記同期信号ブロックを送信することを期待する候補時間位置の数であることを特徴とする、
請求項１１に記載のネットワーク機器。
【請求項１３】
送信ユニットをさらに含み、
前記送信ユニットは、
前記少なくとも１つの候補時間位置の後に、第２の指示情報を送信するように構成され、
前記第２の指示情報は、前記同期信号ブロックを実際に送信する候補時間位置のパターン、または前記同期信号ブロックを実際に送信する候補時間位置の数を指示することを特徴とする、
請求項１１または１２に記載のネットワーク機器。
【請求項１４】
前記第２の指示情報は、前記同期信号ブロックを実際に送信する候補時間位置のパターンを指示し、
前記少なくとも１つの候補時間位置は、配列順序に従って、それぞれ少なくとも１つの送信ビームに対応し、
前記送信ユニットは、さらに、
前記少なくとも１つの候補時間位置の後に、前記無認可周波数帯域上のキャリアを介して前記第２の指示情報を送信するように構成されることを特徴とする、
請求項１３に記載のネットワーク機器。
【請求項１５】
前記送信ユニットは、さらに、
前記少なくとも１つの候補時間位置の後に、認可された周波数帯域上のキャリアを介して前記第２の指示情報を送信するように構成され、
前記送信ユニットは、さらに、
マスタセルに対応する前記認可された周波数帯域上のキャリアを使用して、前記第２の指示情報を送信するように構成され、
前記無認可周波数帯域上のキャリアは、前記ネットワーク機器のセカンダリセルに対応する周波数帯域上のキャリアであることを特徴とする、
請求項１３または１４に記載のネットワーク機器。
【請求項１６】
端末機器であって、
処理ユニットおよび通信ユニットを含み、
前記処理ユニットは、同期信号ブロックのＭ個の候補時間位置を決定するように構成され、前記Ｍ個の候補時間位置は、前記同期信号ブロックのＬ個の候補時間位置の少なくとも一部の候補時間位置であり、前記Ｌ個の候補時間位置は、前記同期信号ブロックの単一の送信周期内のすべての候補時間位置であり、
前記通信ユニットは、前記同期信号ブロックを取得するために、前記Ｍ個の候補時間位置に基づいて、無認可周波数帯域上のキャリアで信号を受信するように構成されることを特徴とする、前記端末機器。
【請求項１７】
前記通信ユニットは、さらに、
前記無認可周波数帯域上のキャリアで、Ｎ（Ｎは、Ｍより小さいか等しい正の整数である）個の候補時間位置で同期信号ブロックを取得するまで、または前記Ｍ個の候補時間位置における最後の候補時間位置で同期信号ブロックの検出を実行するまで、前記Ｍ個の候補時間位置における各候補時間位置で順次に前記同期信号ブロックの検出を実行するように構成され、Ｎは、ネットワーク機器が前記同期信号ブロックを送信することを期待する候補時間位置の数であることを特徴とする、
請求項１６に記載の端末機器。
【請求項１８】
前記通信ユニットは、さらに、
少なくとも１つの候補時間位置の後に前記ネットワーク機器によって送信された第２の指示情報を受信するように構成され、前記少なくとも１つの候補時間位置は、前記同期信号ブロックを実際に送信する候補時間位置であり、
前記第２の指示情報は、前記同期信号ブロックを実際に送信する候補時間位置のパターン、または前記同期信号ブロックを実際に送信する候補時間位置の数を含むことを特徴とする、
請求項１６または１７に記載の端末機器。
【請求項１９】
前記第２の指示情報は、前記同期信号ブロックを実際に送信する候補時間位置のパターンを指示し、前記少なくとも１つの候補時間位置は、配列順序に従って、それぞれ少なくとも１つの送信ビームに対応し、
前記処理ユニットは、さらに、
前記同期信号ブロックを実際に送信する少なくとも１つの候補時間位置の時間順序に従って、前記少なくとも１つの候補時間位置における各候補時間位置で、ネットワーク機器が前記同期信号ブロックを送信するために使用される送信ビームを決定するように構成され、
前記通信ユニットは、さらに、
前記無認可周波数帯域上のキャリアで、前記少なくとも１つの候補時間位置の後に前記ネットワーク機器によって送信された第２の指示情報を受信するように構成されることを特徴とする、
請求項１８に記載の端末機器。
【請求項２０】
前記通信ユニットは、さらに、
認可された周波数帯域上のキャリアで、前記少なくとも１つの候補時間位置の後に前記ネットワーク機器によって送信された第２の指示情報を受信するように構成され、
前記通信ユニットは、さらに、
マスタセルに対応する前記認可された周波数帯域上のキャリアで、前記少なくとも１つの候補時間位置の後に前記ネットワーク機器によって送信された第２の指示情報を受信するように構成され、
前記無認可周波数帯域上のキャリアは、前記ネットワーク機器のセカンダリセルに対応する周波数帯域上のキャリアであることを特徴とする、
請求項１８または１９に記載の端末機器。
【国際調査報告】
2021513760.tif 000013
2021513760.tif 000014
2021513760.tif 000015
2021513760.tif 000016